(57)【要約】【課題】  ボルト２２の締め付け作業をスムーズにする。【解決手段】  管継手３１によれば、ボルト２２をナット部材１９Ａにねじ嵌めて、ボルト２２を回転させて、ボルト２２の頭２３の外部端部が第２張出片１６に当たると、ナット部材１９Ａが第１張出片１３Ａの凹状円弧面３３に沿って移動し、ボルト２２の頭２３の、第２張出片１６に対向する面全体（貫通孔１７に対向する部分は除く。）が第２張出片１６に当接するようになる。その結果、ボルト２２のねじ部２４に、ナット部材１９Ａに嵌まった部分を支点として頭２３をパイプ２側（内側）に押すような曲げの力が作用しないので、ボルト２２の締め付け作業がスムーズである。【選択図】  図２
2005054921.tif 000002
【特許請求の範囲】
【請求項１】
パイプが嵌め被せられる、外周に環状パッキンを有する内筒を備えた継手本体と、パイプの外周を囲うパイプ締付具とを有し、前記パイプ締付具が、パイプの外周を囲う、両端が所定間隙をあけて対向する、可撓性を有する欠環状のパイプ締付体と、このパイプ締付体の両端各々に外方突出状に設けられると共に相互に対向する貫通孔を有する第１張出片及び第２張出片と、第１張出片の、第２張出片と逆側に配されたナット部材と、第２張出片の、第１張出片と逆の側から貫通孔を通じて前記ナット部材にねじ嵌められたボルトとを有し、前記第１張出片の、ナット部材側の面が、パイプ締付体が欠環状と見える方向から見て凹状円弧に見える凹状円弧面となされ、前記ナット部材の、第１張出片側の面が前記凹状円弧面に沿う凸状円弧面となされ、前記貫通孔がボルトの締め付け時にボルトと衝突・干渉しないようになされている管継手。
【発明の詳細な説明】
【技術分野】
【０００１】
本発明は管継手に関する。
【背景技術】
【０００２】
従来の管継手１を図３及び図４を参照しつつ説明する。
管継手１は、パイプ２が嵌め被せられる、外周に環状パッキン３を有する内筒４を備えた継手本体５と、パイプ２の外周を囲うパイプ締付具８とを有している。
前記パイプ締付具８は、パイプ２の外周を囲う、両端が所定間隙１０をあけて対向する、可撓性を有する欠環状（この明細書において、「欠環状」とは完全な環状でなく、所定間隙１０により一部が切除されて環状でなくなった状態をいう。）のパイプ締付体９と、このパイプ締付体９の内周に設けられた、可撓性を有する欠環状の介挿体１１と、前記パイプ締付体９の一端に外方（この明細書において、「外方」とはパイプ締付体９の中心から離れる方向をいい、「内方」とはパイプ締付体９の中心に近付く方向をいう。）突出状に設けられた、後述の第２張出片１６に対向する貫通孔１４を有する第１張出片１３と、前記パイプ締付体９の他端に外方突出状に設けられた貫通孔１４に対向する貫通孔１７を有する第２張出片１６と、第１張出片１３の、第２張出片１６と逆側に溶接等で固定されたナット部材１９と、第２張出片１６の、第１張出片１３の逆側から貫通孔１７、１４を通じて前記ナット部材１９にねじ嵌められたボルト２２（頭２３には六角孔２５が形成されている）とを有している。なお、ナット部材１９のねじ孔２０の中心と貫通孔１４の中心とは一致している。また、パイプ締付体９及び第１、第２張出片１３、１６は金属製であり、介挿体１１は合成樹脂製である。
【０００３】
以下に従来の管継手１の使用方法を説明する。
ボルト２２をゆるめた状態で（ボルト２２の頭２３が第２張出片１６に当たらない状態で）、パイプ締付具８をパイプ２の端部に嵌めた後、パイプ２の端部を内筒４に嵌める。なお、ボルト２２をゆるめた状態では、第１張出片１３と第２張出片１６とは平行でなく、外方に開いた状態にある。その後、ボルト２２を締め付けて第１張出片１３と第２張出片１６とを平行又はほぼ平行にすることにより、パイプ締付体９と内筒４（具体的には環状パッキン３）とでパイプ２を挟持固定することが出来る。なお、貫通孔１７は前記のボルト２２の締め付け作業中、ボルト２２と衝突・干渉しない形状となされていることは云うまでもない。
【特許文献１】なし
【発明の開示】
【発明が解決しようとする課題】
【０００４】
前記従来の管継手１には以下の如き欠点があった。
ボルト２２の頭２３が第２張出片１６に当たる状態までボルト２２を回転させると、前記したごとくボルト２２をゆるめた状態では第１張出片１３と第２張出片１６とは平行でなく外方に開いた状態にあること及びナット部材１９が第１張出片１３に固定されていることのため、ボルト２２の頭２３の外部のみが第２張出片１６に当たり（図４のＡ点参照）、その結果、ボルト２２のねじ部２４に、ナット部材１９に嵌まった部分を支点として頭２３を矢印Ｂの方向に押すような曲げの力が作用する。その曲げ力により、ねじ孔２０に嵌まったねじ部２４の内、頭２３側の部分が、ねじ孔２０の、パイプ２側（内側）の部分に強く当たり（図４のＣ点参照）、ボルト２２の先端側の部分が、ねじ孔２０の、パイプ２と逆側（外側）の部分に強く当たる（図４のＤ点参照）。その結果、ボルト２２の頭２３の外部のみが第２張出片１６に当たった後においては、ねじ部２４がねじ孔２０にスムーズに入り込まなくなり、ボルト２２の締め付け作業が行いにくいという欠点があった。
【課題を解決するための手段】
【０００５】
本発明は前記欠点を解消するために以下の如き手段を採用した。
請求項１の発明は、パイプが嵌め被せられる、外周に環状パッキンを有する内筒を備えた継手本体と、パイプの外周を囲うパイプ締付具とを有し、前記パイプ締付具が、パイプの外周を囲う、両端が所定間隙をあけて対向する、可撓性を有する欠環状のパイプ締付体と、このパイプ締付体の両端各々に外方突出状に設けられると共に相互に対向する貫通孔を有する第１張出片及び第２張出片と、第１張出片の、第２張出片と逆側に配されたナット部材と、第２張出片の、第１張出片と逆の側から貫通孔を通じて前記ナット部材にねじ嵌められたボルトとを有し、前記第１張出片の、ナット部材側の面が、パイプ締付体が欠環状と見える方向から見て凹状円弧に見える凹状円弧面となされ、前記ナット部材の、第１張出片側の面が前記凹状円弧面に沿う凸状円弧面となされ、前記貫通孔がボルトの締め付け時にボルトと衝突・干渉しないようになされているものである。
【発明の効果】
【０００６】
本発明は前記した如き構成によって以下の如き効果を奏する。
請求項１の発明によれば、ボルトをナット部材にねじ嵌めて、ボルトを回転して行って、ボルトの頭の外部端部が第２張出片に当たると、ナット部材が第１張出片の凹状円弧面に沿って移動し、ボルトの頭の、第２張出片に対向する面全体（貫通孔に対向する部分は除く。）が第２張出片に当接するようになり、ボルトのねじ部に、前記したごとき曲げの力が作用しないので、ボルトの締め付け作業をスムーズに行うことが出来る。
【発明を実施するための最良の形態】
【０００７】
以下に本発明の実施の形態を図１及び図２を参照しつつ説明する。
なお、図３及び図４に示した部材と同一の部材は同一の符号で示す。
【０００８】
管継手３１の第１張出片１３Ａの、ナット部材１９Ａ側の面が、パイプ締付体９が欠環状と見える方向から見て（図２に示す状態において）凹状円弧に見える凹状円弧面３３となされ、前記ナット部材１９Ａの、第１張出片１３Ａ側の面が前記凹状円弧面３３に沿う凸状円弧面３４となされている。貫通孔１４、１７がボルト２２の締め付け時にボルト２２と衝突・干渉しないようになされている。なお、ナット部材１９Ａの、図１におけるパイプ締付体９の中心線に沿う長さは「Ｈ」である。
【０００９】
前記管継手３１によれば、ボルト２２をナット部材１９Ａにねじ嵌めて、ボルト２２を回転させて、ボルト２２の頭２３の外部端部が第２張出片１６に当たると、ナット部材１９Ａが第１張出片１３Ａの凹状円弧面３３に沿って移動し、ボルト２２の頭２３の、第２張出片１６に対向する面全体（貫通孔１７に対向する部分は除く。）が第２張出片１６に当接するようになる。その結果、ボルト２２のねじ部２４に、ナット部材１９Ａに嵌まった部分を支点として頭２３をパイプ２側（内側）に押すような曲げの力が作用しないので、ボルト２２の締め付け作業がスムーズである。
【００１０】
以下に変形例等について説明を加える。
（１）第１張出片１３Ａ、第２張出片１６の形状は任意である。
（２）ボルト２２の頭２３の形状は任意である。
（３）介挿体１１はない場合もある。
【産業上の利用可能性】
【００１１】
本発明は、水・油等の種々の液体のための管継手として利用できる。
【図面の簡単な説明】
【００１２】
【図１】本発明の実施の形態を示す断面図である。
【図２】図１のＩＩ−ＩＩ線断面図である。
【図３】従来の管継手の断面図である。
【図４】図３のＩＶ−ＩＶ線断面図である。
【符号の説明】
【００１３】
２  パイプ
３  環状パッキン
４  内筒
８  パイプ締付具
９  パイプ締付体
１０  所定間隙
１１  介挿体
１３Ａ  第１張出片
１４  貫通孔
１６  第２張出片
１７  貫通孔
１９Ａ  ナット部材
２０  ねじ孔
２２  ボルト
２３  頭
２４  ねじ部
３１  管継手
３３  凹状円弧面
３４  凸状円弧面
【図１】
2005054921.tif 000003
【図２】
2005054921.tif 000004
【図３】
2005054921.tif 000005
【図４】
2005054921.tif 000006